(57)【特許請求の範囲】
【請求項１】
左右一対の対物光学系が形成する像を左右一対の接眼光学系により観察する双眼鏡において、前記左右一対の接眼光学系を保持する接眼系保持面と光軸方向に設けた接眼系摺動部とを備えた本体と、該本体の接眼系摺動部に係合して光軸方向に摺動するための対物系摺動部と前記左右一対の対物光学系を一体的に保持するために前記対物光学系の光軸に対して直角方向に設定した対物系保持面とを備えた対物台と、前記本体と前記対物台を相対的に光軸方向に移動する移動機構と、前記本体と前記対物台を取り囲む外装部材とを有することを特徴とする双眼鏡。
【請求項２】
前記対物光学系を構成するレンズの内の少なくとも１個のレンズは、前記対物台に対して光軸方向に微少移動を可能とした請求項１に記載の双眼鏡。
【請求項３】
前記接眼光学系を保持する保持面上において、前記接眼光学系を光軸を中心として互いに反対回りに回転可能とした請求項１に記載の双眼鏡。
【請求項４】
前記対物光学系と前記接眼光学系の光軸方向の間に電気回路を配設した請求項１に記載の双眼鏡。
【請求項５】
前記対物光学系と前記接眼光学系の光軸方向の間に、像観察時の振れを補正する防振機構を配設した請求項１に記載の双眼鏡。
【請求項６】
前記対物光学系と前記接眼光学系の光軸方向の間に、観察対象までの距離を測定する測距機構を配設した請求項１に記載の双眼鏡。
【請求項７】
前記対物光学系の光軸間にバッテリを配設した請求項４〜６の何れか１つの請求項に記載の双眼鏡。
【発明の詳細な説明】
【０００１】
【発明の属する技術分野】
本発明は、左右一対の対物光学系が形成する像を左右一対の接眼光学系により観察する眼幅調整可能な双眼鏡に関するものである。
【０００２】
【従来の技術】
(1) 従来から、左右の対物光学系と接眼光学系をそれぞれ一体的に回転したり水平移動して眼幅調整を行う双眼鏡において、左右の対物光学系が相対的に固定関係を持たない構成のものが知られている。
【０００３】
(2) また、特開平７−０４３６４５号公報、特開平７−１９１２８５号公報や特開平８−１６０４８５号公報には、接眼光学系を外装部品で保持し、眼幅調整時に対物光学系は移動せず、接眼光学系が互いに反対方向に回転するように構成した双眼鏡が開示されている。
【０００４】
【発明が解決しようとする課題】
(1) しかしながら、上述の従来例(1) の双眼鏡では、眼幅調整のために対物光学系と接眼光学系を連動させているために、外的な衝撃が対物光学系に影響し易く、対物光学系の保持を強固にする必要がある。更に、左右の光学系の連結部にがたが発生して左右の視軸がずれたり、焦点調整のための左右の連動機構に眼幅調整機能も加わることにより、左右の視度が狂い易く、また観察のみの機構から手ぶれ補正機能や測距機能を付加する際に、電気回路基板やバッテリを追加することが困難であるという問題点がある。
【０００５】
(2) また、従来例(2) の双眼鏡においては、接眼光学系の保持を外装部品で行っているために、観察時に外装部材の変形がそのまま視軸のずれとなるという問題点がある。
【０００６】
本発明は、上述の問題点を解消し、光軸ぶれを防止し外部からの衝撃に強い安価でコンパクトな双眼鏡を提供することにある。
【０００７】
【課題を解決するための手段】
上記目的を達成するための本発明に係る双眼鏡は、左右一対の対物光学系が形成する像を左右一対の接眼光学系により観察する双眼鏡において、前記左右一対の接眼光学系を保持する接眼系保持面と光軸方向に設けた接眼系摺動部とを備えた本体と、該本体の接眼系摺動部に係合して光軸方向に摺動するための対物系摺動部と前記左右一対の対物光学系を一体的に保持するために前記対物光学系の光軸に対して直角方向に設定した対物系保持面とを備えた対物台と、前記本体と前記対物台を相対的に光軸方向に移動する移動機構と、前記本体と前記対物台を取り囲む外装部材とを有することを特徴とする。
【０００８】
【発明の実施の形態】
本発明を図示の実施例に基づいて詳細に説明する。
図１はプリズム双眼鏡の上方から見た断面図、図２は側方から見た縦断面図、図３は接眼光学系の左右の連動機構の正面図を示し、プリズム双眼鏡の光学系は、左右一対の対物レンズ１Ｌ、１Ｒ、左右一対のポロII型正立プリズム２Ｌ、２Ｒ、左右一対の接眼レンズ３Ｌ、３Ｒ、液体を封入したバリアングルプリズム４Ｌ、４Ｒの光学部品により構成されている。
【０００９】
対物レンズ１Ｌ、１Ｒは、それぞれ左右に一対の平行な光軸O1L 、O1R を有し、その光軸O1L 、O1R はそれぞれバリアングルプリズム４Ｌ、４Ｒの中心を通過し、それぞれ左右一対の正立プリズム２Ｌ、２Ｒの入射面に至る。そして、この左右一対の正立プリズム２Ｌ、２Ｒの各射出面には、対物レンズの光軸O1L 、O1R に平行でかつ同軸でない左右一対の接眼レンズ３Ｌ、３Ｒの光軸02L 、02R が連なる。
【００１０】
双眼鏡の基体１０は丈夫な金属板で造られ、光軸O1L 、O1R が作る平面と平行な水平部ｌ１と、これに対して直角に屈曲した接眼ユニット１２Ｌ、１２Ｒを保持するための保持面１３とから成り、更に水平部ｌ１には摺動を目的とした４個所のエンボスｌ４が突出され、保持面１３にはそれぞれ光軸O1L 、O1R を中心とした摺動孔１５Ｌ、１５Ｒが設けられている。なお、基体１０の中央は、保持面１３と同じ面が上方に延在して突出部ｌ６が形成され、突出部ｌ６にはフォーカスねじ１７を定位置で回転自在に保持する回転保持孔１８が穿孔されている。
【００１１】
また、対物台１９も丈夫な金属板で造られ、基体１０の４個所のエンボスｌ４に対応して摺動する４個所の摺動部２０を含む水平部２１と、光軸O1L 、O1R に対して直角に屈曲しかつ光軸O1L 、O1R を中心とする孔２２Ｌ、２２Ｒを有する保持面２３Ｌ、２３Ｒとから成っている。そして、水平部２１に対して直角に屈曲した中央部の後端面２４には、基体１０の突出部ｌ６の回転保持孔１８に対応して、フォーカスねじ１７と螺合する雌ねじ２５が設けられている。なお、光軸O1R を中心とする孔２２Ｒと、光軸O1L を中心とする孔２２Ｌとは若干異なる形状とされている。
【００１２】
対物台１９の水平部２１には、光軸O1L 、O1R 方向に設けたガイド孔２６、２７と、これより幅の稍々大きいガイド逃げ孔２８、２９が設けられている。そして、ガイド孔２６、２７に対しては嵌合し、ガイド逃げ孔２８、２９には稍々逃げるように寸法設定された４個の同形状のガイド部材３０と、対物台１９の水平部２１を基体１０の水平部ｌ１に圧接するためにガイド孔２６、２７及びガイド逃げ孔２８、２９の周囲に作用する４個のガイドばね３１とが、基体１０の水平部ｌ１にビスにより共締されている。
【００１３】
これによって、対物台１９はガイド孔２６、２７に嵌合する２個のガイド部材３０により、基体１０を基準として光軸方向に移動可能にガイドされ、摺動部２０同士は４個のガイドばね３１によって密着状態で保持される。
【００１４】
また、フォーカスねじ１７は基体１０の突出部１６の回転保持孔１８に回転自在に保持され、その後端部にはフォーカス摘み３２がビス止めされて、光軸方向の抜け止めとされている。このフォーカスねじ１７は基体１０に対して定位置で回転し、かつねじ部は対物台１９の水平部２１に対して直角に屈曲した中央部の後端面２４の雌ねじ２５と螺合しているので、フォーカス摘み３２を回転することによって、対物台１９全体を基体１０に対して光軸方向に圧接した状態で移動することができる。
【００１５】
左右一対の接眼ユニット１２Ｌ、１２Ｒは互いに対称形状に造られており、その内部には、接眼レンズ３Ｌ、３Ｒと、光軸O1L 、O1R に対応する入射面及び接眼レンズ３Ｌ、３Ｒの光軸02L 、02R に対応する射出面を有するポロII型の正立プリズム２Ｌ、２Ｒとが保持されており、後端部には一対の眼当接ゴム３３Ｌ、３３Ｒが取り付けられている。接眼ユニット１２Ｌ、１２Ｒの前端面には、基体１０の水平部ｌ１に対して直角に屈曲した保持面１３から若干突き出るように、フランジ部３４Ｌ、３４Ｒが設けられており、光軸O1L 、O1R のそれぞれを中心とする摺動孔１５Ｌ、１５Ｒに係合している。
【００１６】
また、接眼レンズユニット１２Ｌ、１２Ｒには、図３に示すように略対称な形状の左右一対の連動板３５Ｌ、３５Ｒが取り付けられており、連動板３５Ｌ、３５Ｒは内側のギア部３６Ｌ、３６Ｒで互いに噛合している。そして、それぞれ４本のビス３７Ｌ、３７Ｒにおいて、左右一対の接眼ユニット１２Ｌ、１２Ｒの前端面のフランジ部３４Ｌ、３４Ｒにビス止めされており、このビス止め部分の外周部３８Ｌ、３８Ｒは円周方向に延出され、更に基体１０の保持面１３にビス止めしたときに、チャージする状態となるように適度に光軸01L 、01R 方向に屈曲している。
【００１７】
左対物鏡筒４０は左対物レンズ１Ｌを後端部付近で保持し、フランジ部４１において対物台１９の光軸O1L に対して直角に屈曲し、光軸O1L を中心とする孔２２Ｌを有する保持面２３Ｌにビス止めされている。
【００１８】
右対物鏡筒４２は右対物レンズ１Ｒを後端部付近で保持し、中間部付近の鏡筒４２回りに円周方向に３等分した位置に嵌合部４３が設けられ、これら３個所の嵌合部４３の隙間付近に３個所の部分ねじ部４４が設けられている。
【００１９】
また、対物台１９の保持面２３Ｒの孔２２Ｒは、鏡筒４２周りに等分に設けた３個所の嵌合部４３と嵌合するための３個所の部分嵌合部４５を有し、これによって右対物鏡筒４２を回転可能としている。更に、３個所の部分ねじ部４４に対応するように、光軸O1R 回りを３等分する位置に部分ねじ受け部４６が設けられ、３個所の部分ねじ部４４をねじ受け部４６に前から押し付けるようにして挟持するために、３個所のばね部４７を有する押さえばね４８が設けられている。これにより右対物鏡筒４２は、回転することによって光軸O1R 方向に移動可能とされており、なお３個所のばね部４７を有する押さえばね４８は、図示しないビスによって対物台１９の保持面２３Ｒに固定されている。
【００２０】
図２に示す上カバー５０と下カバー５１は、光軸O1L 、O1R を含む平面でほぼ全体が上下に噛み合わさるように構成されている。上カバー５０は基体１０、フォーカスねじ１７、対物台１９、左右の対物鏡筒４０、４２などを被覆し、内面の天井から図示しない３個所の位置決め部に対して、取付孔５２、５３、５４を介して基体１０をビス止めしている。
【００２１】
また、下カバー５１は対物鏡筒４０、４２回り、接眼ユニット１２Ｌ、１２Ｒ回り、フォーカスねじ１７回り以外で、上カバー５０と全周に渡って係合し、取付孔５５Ｌ、５５Ｒの２個所で上カバー５０にビス止めされている。また、下カバー５１の筒状に伸びた先端部５６Ｌ、５６Ｒと上カバー５０の筒状に伸びた先端部５７Ｌ、５７Ｒは、係合して同時に円筒部を形成し、この円筒部は断面形状がコの字のリング状の対物カバー５８Ｌ、５８Ｒに嵌め込まれて、接着などによって固定されている。
【００２２】
更に、対物鏡筒４０、４２の先端外周部の外周溝に係合するように、防塵シート５９Ｌ、５９Ｒが嵌め込まれ、防塵シート５９Ｌ、５９Ｒの外径と対物カバー５８Ｌ、５８Ｒの内径が嵌合しており、更に対物カバー５８Ｌ、５８Ｒを被覆するように、先端部に対物ゴム６０Ｌ、６０Ｒが取り付けられている。
【００２３】
また、対物レンズ１Ｌ、１Ｒの奥側には、バリアングルプリズム４Ｌ、４Ｒを内蔵する公知の防振ユニット６１が配置され、防振ユニット６１には付属する電気回路基板６２が取り付けられている。更に、対物鏡筒４０、４２の間には２個のバッテリ６３が配置され、上カバー５０の内面にはこれらのバッテリ６３に対応してばね性を備えた２個の電極６４が配置されており、電極６４はリード線によって図示しない電気回路に接続されている。そして、バッテリ６３は収納状態で作動するように、２個の電極６４と、下カバー５１に取り付けた蓋６５に固定されている共通電極６６とによって挟持されながら、双眼鏡内に保持されている。
【００２４】
以上のような構成により、左右一対の接眼ユニット１２Ｌ、１２Ｒは、それぞれ基体１０の水平部ｌ１に対して直角に屈曲した保持面１３に密着した状態で、互いに反対回りに回転運動して、接眼レンズ３Ｌ、３Ｒの光軸O2L 、O2R の間隔を変更することことが可能である。
【００２５】
また、右対物鏡筒４２を適度に回転することにより、右対物レンズ１Ｒの光軸O1R 上の位置を、左対物鏡筒４０に保持された左対物レンズ１Ｌに対して、微少に移動することができるので、観察時の左右の視度差を微妙に調整する機構を実現することができる。
【００２６】
また、防塵シート５９Ｌ、５９Ｒと対物カバー５８Ｌ、５８Ｒを嵌合設定したことにより、対物カバー５８Ｌ、５８Ｒの内面と対物鏡筒４０、４２の空隙をほぼ密閉することができ、加えて対物カバー５８Ｌ、５８Ｒを覆う対物ゴム６０Ｌ、６０Ｒを取り付けたことにより、上下のカバー５０、５１に被覆された双眼鏡内部に埃や水滴が入り難くなる。更に、双眼鏡の外部から衝撃が加わった場合にも、先ず対物ゴム６０Ｌ、６０Ｒや上下のカバー５０、５１が或る程度の衝撃を吸収するので、双眼鏡の本体部品や対物レンズ１Ｌ、１Ｒの後方の空きスペースに収納した付加機能の部品などを安全に守ることができる。
【００２７】
防振ユニット６１については、例えば光学機器の振れ量を検出する振れ検出手段と、この振れ検出手段からの出力信号に基づいて、対物レンズ１Ｌ、１Ｒによって形成される物体像の振れを抑制するように内部に液体を封入した可変頂角プリズムを駆動する駆動制御手段とを内蔵するユニットが、特開平６−４３３６５号公報に開示されている。
【００２８】
また、対物レンズの光束を透過して偏向する２つの偏角プリズムを厚み方向に配列した補正光学系と、２つの偏角プリズムをこれらの共通軸を中心として互いに反対方向に等角度だけ回転する偏角プリズム回転駆動手段と、更に振れ検出手段や駆動制御手段等を内蔵するユニットが、特開平６−２５００９９号公報に開示されている。
【００２９】
更に、特開平８−２４８４６３号公報に開示されているレンズ系を、光軸と直角方向にシフトする補正光学系を用いた防振ユニット６１を使用することもでき、また観察対象までの距離を測定する測距機構を搭載することもできる。
【００３０】
また、防振ユニット６１に付随する電気回路基板６２は、特に防振ユニット６１のための電気回路に限定する必要はなく、本実施例では外部からの衝撃や異物の進入を阻止できる構造としたので、これらに対して弱い電気回路を搭載することも可能で、例えばラジオや懐中電灯のような物も含めて、全ての電気回路を対象として使用することができる。
【００３１】
【発明の効果】
以上説明したように本発明に係る双眼鏡は、本体に設けた１個の保持面に左右の接眼レンズを保持し、対物台に設けた１個の保持面に左右の対物レンズを保持することにより、左右の光軸のずれを簡便に防止することができ、長期に渡って保守が不要となり、更に本体と対物台や対物レンズが外装部品によって守られているので、外部からの衝撃に関して強固な構造となり、屋外使用に適し、本体内に電気回路を設けるスペースを確保できるので、手振れを補正したり距離を測ったりする付加機能を組み込むことが容易となり、コンパクトな構造とすることができる。
【図面の簡単な説明】
【図１】プリズム双眼鏡の上方から見た断面図である。
【図２】側方から見た断面図である。
【図３】接眼ユニットの連動機構の正面図である。
【符号の説明】
１Ｌ、１Ｒ  対物レンズ
３Ｌ、３Ｒ  接眼レンズ
１０  基体
１２Ｌ、１２Ｒ  接眼ユニット
１７  フォーカスねじ
１９  対物台
３５Ｌ、３５Ｒ  連動板
４０、４２  対物鏡筒
５０  上カバー
５１  下カバー
６１  防振ユニット
６２  電気回路基板
６３  バッテリ
【図１】
0004054405.tif 000002
【図２】
0004054405.tif 000003
【図３】
0004054405.tif 000004